(57)【特許請求の範囲】
【請求項１】
底部と、底部の一方の相対する辺に立設された相対する側壁と、底部のもう一方の相対する辺の１つに立設されているとともに相対する側壁の対向する垂直端を連結する連結側壁と、底部と相対する側壁と連結梁とにより囲まれた物品排出開口を閉鎖する側壁扉とからなる箱型容器であって、垂直状態の側壁扉の垂直端面付近を挟持し案内し、且つ、水平状態の側壁扉が載置される内側載置ブロックと外側載置ブロックとが配設されているとともに、連結梁付近に位置する相対する側壁の内面には、内側のみが開放された縦長のガイド凹部が形成されており、縦長のガイド凹部には、側壁扉の相対する垂直端面に突設された規制短軸が挿入されていることを特徴とする箱型容器。
【請求項２】
水平状態の側壁扉の連結側壁側を持ち上げることにより、側壁扉が、連結梁から連結側壁に向かって、上方に傾斜可能に構成されていることを特徴とする請求項１に記載の箱型容器。
【請求項３】
側壁扉の内面と上面とにより形成される上部水平角部に、傾斜面が形成されていることを特徴とする請求項１又は請求項２に記載の箱型容器。
【請求項４】
略垂直に立てられた側壁扉の外側に位置する底部に、底部の先端に向かって、下方に傾斜した傾斜面が形成されていることを特徴とする請求項１〜請求項３のいずれか１項に記載の箱型容器。
【請求項５】
側壁扉の下面に、係止部材が形成されているとともに、底部の対応する個所に、係止部材が嵌合可能な透孔が穿設されていることを特徴とする請求項１〜請求項４のいずれか１項に記載の箱型容器。
【請求項６】
側壁扉の下面に、係止部材が形成されているとともに、連結梁の対応する個所に、係止部材が嵌合可能な透孔が穿設されていることを特徴とする請求項１〜請求項５のいずれか１項に記載の箱型容器。
【発明の詳細な説明】
【技術分野】
【０００１】
本発明は、開放された１つの側部が、開閉自在な側壁により、開閉自在に構成されている箱型容器に関するものであり、箱型容器に収容された物品を、開閉自在な側壁を取り外して、側部を開放することにより、開放された側部から、収容されている物品を排出することができるようにしたものである。
【背景技術】
【０００２】
従来、底部と、底部の３辺から立設された、底部と一体成形された３つの側壁とを有し、側壁が形成されていない開放された側部には、取り外し可能な側壁が配設された箱型容器が、一例として、特許文献１に記載されている。箱型容器に収容された物品を取り出す際には、取り外し可能な側壁を取り外した後、開放された側部と対向する側の底部を持ち上げて、底部を傾斜させることにより、箱型容器に収容された物品を、底部上をスライドさせて、開放された側部から排出するように構成されている。
【０００３】
【特許文献１】実公昭５６−４６６１３号公報
【発明の開示】
【発明が解決しようとする課題】
【０００４】
上述した従来の箱型容器においては、箱型容器に収容された物品を取り出す際には、取り外し可能な側壁を、箱型容器から完全に取り外し分離し、一時的に、適当な場所に保管する必要があるが、取り外された取り外し可能な側壁を、適切に保管管理しておかないと、取り外し可能な側壁が紛失するという問題があった。
【０００５】
また、箱型容器に収容された物品を取り出した後には、取り外し可能な側壁を、箱型容器から離れた位置にある場所から取り出し、箱型容器に取り付ける必要があり、従って、箱型容器への取り外し可能な側壁の取り付けに時間が係り、箱型容器への取り外し可能な側壁への取り付け作業の作業性が悪いという問題があった。
【０００６】
本発明の目的は、上述した従来の箱型容器が有する課題を解決することにある。
【課題を解決するための手段】
【０００７】
本発明は、上述した目的を達成するために、底部と、底部の一方の相対する辺に立設された相対する側壁と、底部のもう一方の相対する辺の１つに立設されているとともに相対する側壁の対向する垂直端を連結する連結側壁と、底部と相対する側壁と連結梁とにより囲まれた物品排出開口を閉鎖する側壁扉とからなる箱型容器であって、第１には、垂直状態の側壁扉の垂直端面付近を挟持し案内し、且つ、水平状態の側壁扉が載置される内側載置ブロックと外側載置ブロックとを配設するとともに、連結梁付近に位置する相対する側壁の内面には、内側のみが開放された縦長のガイド凹部を形成し、縦長のガイド凹部に、側壁扉の相対する垂直端面に突設した規制短軸を挿入するようにしたものであり、第２には、水平状態の側壁扉の連結側壁側を持ち上げることにより、側壁扉を、連結梁から連結側壁に向かって、上方に傾斜可能に構成したものであり、第３には、側壁扉の内面と上面とにより形成される上部水平角部に、傾斜面を形成したものであり、第４には、略垂直に立てられた側壁扉の外側に位置する底部に、底部の先端に向かって、下方に傾斜した傾斜面を形成したものであり、第５には、側壁扉の下面に、係止部材を形成するとともに、底部の対応する個所に、係止部材が嵌合可能な透孔を穿設したものであり、第６には、側壁扉の下面に、係止部材を形成するとともに、連結梁の対応する個所に、係止部材が嵌合可能な透孔を穿設したものである。
【発明の効果】
【０００８】
垂直状態の側壁扉の垂直端面付近を挟持し案内し、且つ、水平状態の側壁扉が載置される内側載置ブロックと外側載置ブロックとを配設するとともに、連結梁付近に位置する相対する側壁の内面には、内側のみが開放された縦長のガイド凹部を形成し、縦長のガイド凹部に、側壁扉の相対する垂直端面に突設した規制短軸を挿入するようにしたので、箱型容器に収容されている物品の物品排出開口からの排出作業の際に、側壁扉が、箱型容器から分離するようなことがなく、従って、側壁扉が紛失したり、側壁扉の保管場所を考慮する必要もなく、また、側壁扉は、箱型容器に連結されているので、物品排出開口の側壁扉による閉鎖作業の作業性が向上する。
【０００９】
水平状態の側壁扉の連結側壁側を持ち上げることにより、側壁扉を、連結梁から連結側壁に向かって、上方に傾斜可能に構成したので、箱型容器に収容されている物品を、物品排出開口から排出する際に、側壁扉が水平状態に位置する場合に較べて、物品が、側壁扉の上面に衝突するようなことを防止することができ、従って、物品が、側壁扉の上面に衝突し上方に飛び跳ねて、物品排出開口からではなく、箱型容器の上方の開口部から外に飛び出るようなことを防止することができる。
【００１０】
側壁扉の内面と上面とにより形成される上部水平角部に、傾斜面を形成したので、箱型容器に収容されている物品を、物品排出開口から排出する際に、物品が、側壁扉に衝突しても、傾斜面に案内されて、物品排出開口方向に向かうことができるので、物品が、側壁扉が衝突して、物品排出開口からではなく、箱型容器の上方の開口部から外に飛び出るようなことを防止することができる。
【００１１】
略垂直に立てられた側壁扉の外側に位置する底部に、底部の先端に向かって、下方に傾斜した傾斜面を形成したので、箱型容器に収容されている物品を、物品排出開口から排出する際に、物品が、物品排出開口に詰まるようなことを防止することができ、従って、物品排出開口からの物品の排出作業を円滑に行うことができる。
【００１２】
側壁扉の下面に、係止部材を形成するとともに、底部の対応する個所に、係止部材が嵌合可能な透孔を穿設したので、略垂直状態の側壁扉が、上方に移動するようなことを防止することができ、従って、箱型容器に収容されている物品の不用意な物品排出開口からの排出を防止することができる。
【００１３】
側壁扉の下面に、係止部材を形成するとともに、連結梁の対応する個所に、係止部材が嵌合可能な透孔を穿設したので、水平状態の連結梁の移動を制限することができ、従って、物品排出開口からの物品の排出作業の際に、水平状態の連結梁が、垂直方向に回動し、物品排出開口を塞ぐようなことを防止することができる。
【実施例】
【００１４】
以下に、本発明の実施例について説明するが、本発明の趣旨を越えない限り、何ら、本実施例に限定されるものではない。
【００１５】
Ｂは、箱型容器であり、箱型容器Ｂは、底部１と、底部１の一方の相対する辺に立設された相対する側壁２と、底部１のもう一方の相対する辺の１つに立設されているとともに、相対する側壁２の対向する垂直端を連結する側壁（以下、連結側壁という。）３とを有している。また、連結側壁３により連結されていない相対する側壁２の対向する垂直端の上端部は、所定の高さを有する連結梁４により連結されており、連結側壁３と対向する箱型容器Ｂの側部には、底部１と相対する側壁２と連結梁４とにより囲まれた物品排出開口５が形成されている。底部１と相対する側壁２と側壁３と連結梁４とは、合成樹脂で一体に成形されている。
【００１６】
６は、物品排出開口５を閉鎖するための側壁扉であり、側壁扉６の幅（側壁扉６の相対する垂直端面６ａ間の距離）は、相対する側壁２の内面２ａの間隔より、若干、狭く形成されているとともに、側壁扉６の相対する垂直端面６ａの下端部付近には、垂直端面６ａに略垂直な規制短軸６ｂが突設されている。また、側壁扉６の内面（物品排出開口５を、側壁扉６で閉鎖した際に、箱型容器Ｂの内側に位置する面）６ｃと上面６ｄとにより形成される上部水平角部には、傾斜面６ｅが、側壁扉６の全幅に亘たって形成されている。
【００１７】
連結梁４の内面４ａと側壁２の内面２ａとにより形成される隅部には、上面７ａが略水平な外側載置ブロック７が形成されており、外側載置ブロック７の上面７ａと側壁２の上面２ｂと間隔は、側壁扉６の厚さより、若干、大きく形成されている。なお、側壁２の上面２ｂと連結梁４の上面４ｂと連結側壁３の上面３ａとは、面一に形成されている。
【００１８】
連結梁４付近に位置する相対する側壁２の内面２ａには、相対する側壁２を外側に膨出させることにより、箱型容器Ｂの内面側及び上部が開放された縦長のガイド凹部８が形成されており、ガイド凹部８は、相対する内壁面８ａと奥壁面８ｂと底面８ｃとから形成されている。
【００１９】
また、ガイド凹部８の相対する内壁面８ａのうち、連結梁４から遠い方の内壁面８ａに沿って、相対する側壁２の内面２ａには、ガイド凹部８を挟んで、外側載置ブロック７と対向するように、縦長の内側載置ブロック９が形成されている。また、内側載置ブロック９の上面９ａと側壁２の上面２ｂと間隔は、側壁扉６の厚さより、若干、大きく形成されており、外側載置ブロック７の上面７ａと内側載置ブロック９の上面９ａとは、略面一に形成されている。更に、外側載置ブロック７の上部角部には、ガイド傾斜面７ｂが形成されており、また、外側載置ブロック７のガイド傾斜面７ｂと対向して、内側載置ブロック９の上部角部にも、同様のガイド傾斜面９ｂが形成されている。
【００２０】
相対する側壁２の内面２ａに形成された縦長のガイド凹部８に、側壁扉６の相対する垂直端面６ａの下端部付近に突設されている規制短軸６ｂが挿入されるように、略垂直状態に側壁扉６を配置した後、上部が開放されている縦長のガイド凹部８の上端部に、蓋体１０を取着することにより、ガイド凹部８の上端部を閉鎖する。このようにして、箱型容器Ｂが組み立てられることになり、組み立てられた状態においては、ガイド凹部８の上端部が、蓋体１０により閉鎖されているので、ガイド凹部８は、箱型容器Ｂの内側のみが開放されていることになる。また、側壁扉６が略垂直に立てられた状態においては、側壁扉６の内面６ｃは、内側載置ブロック９に接近して位置するように構成されており、更に、側壁扉６の外面（側壁扉６に形成された縦リブ６ｆや横リブ６ｇの先端により形成される仮想面）６ｈは、外側載置ブロック７に接近して位置するように構成されている。このように、略垂直に立てられた側壁扉６の垂直端面６ａ付近は、相対する内側載置ブロック９と外側載置ブロック７とにより挟持されているので、略垂直に立てられた側壁扉６が、底部１方向に倒れることがないように構成されているとともに、側壁扉６は、相対する内側載置ブロック９と外側載置ブロック７に案内されながら持ち上げることができるように構成されている。
【００２１】
図１や図５に示されているように、箱型容器Ｂは、底部１と相対する側壁２と連結側壁３と略垂直に立てられた側壁扉６とにより、上方が開口された箱に形成されており、種々の物品が収容されるように構成されている。側壁扉６が、略垂直に立てられた状態においては、側壁扉６の相対する垂直端面６ａの下端部付近に突設されている規制短軸６ｂは、相対する側壁２の内面２ａに形成されたガイド凹部８に挿入されているとともに、ガイド凹部８の下部に位置している。なお、図１や図５に示されているように、略垂直に立てられた側壁扉６の外側に位置する底部１には、底部１の先端に向かって、下方に傾斜した傾斜面１ａを形成することが好ましい。
【００２２】
略垂直に立てられ、且つ、底部１と相対する側壁２と連結梁４とにより囲まれた物品排出開口５を閉鎖している側壁扉６を、図６に示されているように、上方に持ち上げると、側壁扉６に形成されている規制短軸６ｂは、相対する側壁２の内面２ａに形成されている縦長のガイド凹部８内を上方に移動するとともに、側壁扉６は、垂直端面６ａ付近が、相対する内側載置ブロック９と外側載置ブロック７に案内されながら持ち上げられることになる。そして、側壁扉６に形成されている規制短軸６ｂが、ガイド凹部８の上端部を閉鎖する蓋体１０に当接した際には、或いは、規制短軸６ｂが、蓋体１０に接近した際には、規制短軸６ｂは、相対する側壁２の内面２ａに形成されている縦長のガイド凹部８から抜け出るように構成されている。側壁扉６に形成されている規制短軸６ｂが、ガイド凹部８の上端部を閉鎖する蓋体１０に当接した後、或いは、規制短軸６ｂが、蓋体１０に接近した後に、側壁扉６を、図７に示されているように、水平方向に倒すとともに、水平状態の側壁扉６を、外側載置ブロック７の上面７ａ及び内側載置ブロック９の上面９ａに載置する。このようにして、側壁扉６により閉鎖されていた、底部１と相対する側壁２と連結梁４とにより囲まれた物品排出開口５を開放し、その後、図８に示されているように、物品排出開口５と対向位置にある連結側壁３側を持ち上げて、底部１を傾斜させることにより、箱型容器Ｂに収容されている物品Ａを、物品排出開口５から排出する。
【００２３】
上述したように、側壁扉６に形成されている規制短軸６ｂは、相対する側壁２の内面２ａに形成されているとともに、蓋体１０により上部が閉鎖され、箱型容器Ｂの内側のみが開放されている縦長のガイド凹部８内に挿入されているので、側壁扉６を持ち上げても、ガイド凹部８から抜け出るようなことがなく、従って、箱型容器Ｂに収容されている物品Ａの物品排出開口５からの排出作業の際に、側壁扉６が、箱型容器Ｂから分離するようなことがなく、よって、側壁扉６が紛失したり、側壁扉６の保管場所を考慮する必要もなく、更に、側壁扉６は、箱型容器Ｂに連結されているので、物品排出開口５の側壁扉６による閉鎖作業の作業性が向上する。
【００２４】
また、箱型容器Ｂに収容されている物品Ａの物品排出開口５からの排出作業の際には、水平方向に倒された側壁扉６は、外側載置ブロック７の上面７ａ及び内側載置ブロック９の上面９ａに載置されるように構成されているので、物品排出開口５と対向位置にある連結側壁３側を持ち上げて、底部１を傾斜させることにより、箱型容器Ｂに収容されている物品Ａを、物品排出開口５から排出する際に、水平状態の側壁扉６が、垂直方向に回動し、物品排出開口５を塞ぐようなことを防止することができる。
【００２５】
図７に示されているように、側壁扉６が水平状態においては、側壁扉６に形成されている規制短軸６ｂとガイド凹部８の上部を閉鎖する蓋体１０との間には、所定の間隙Ｄが形成されるように構成されているので、水平状態の側壁扉６の傾斜面６ｅ側、換言すれば、連結側壁３側を持ち上げることにより、図９に示されているように、側壁扉６を、連結梁４から連結側壁３に向かって、上方に傾斜させることができるので、図８に示されているように、箱型容器Ｂに収容されている物品Ａを、物品排出開口５から排出する際に、側壁扉６が水平状態に位置する場合に較べて、物品Ａが、側壁扉６の上面６ｄに衝突するようなことを防止することができ、従って、物品Ａが、側壁扉６の上面６ｄに衝突し上方に飛び跳ねて、物品排出開口５からではなく、箱型容器Ｂの上方の開口部から外に飛び出るようなことを防止することができる。
【００２６】
また、側壁扉６の内面６ｃの上部水平角部に、傾斜面６ｅが形成されているので、箱型容器Ｂに収容されている物品Ａを、物品排出開口５から排出する際に、物品Ａが、側壁扉６に衝突しても、傾斜面６ｄに案内されて、物品排出開口５方向に向かうことができるので、物品Ａが、側壁扉６が衝突して、物品排出開口５からではなく、箱型容器Ｂの上方の開口部から外に飛び出るようなことを防止することができる。
【００２７】
更に、上述したように、略垂直に立てられた側壁扉６の外側に位置する底部１に、底部１の先端に向かって、下方に傾斜した傾斜面１ａを形成することにより、箱型容器Ｂに収容されている物品Ａを、物品排出開口５から排出する際に、物品Ａが、物品排出開口５に詰まるようなことを防止することができ、従って、物品排出開口５からの物品Ａの排出作業を円滑に行うことができる。
【００２８】
図１０に示されている実施例は、側壁扉６の下面６ｉに、係止部材１１を形成するとともに、底部１の対応する個所に、係止部材１１が嵌合可能な透孔１ｂを穿設したものである。係止部材１１は、側壁扉６の下面６ｉに略垂直な一対の弾性片１１ａと相対する弾性片１１ａの対向面と反対側の面の下部に形成された係止突部１１ｂとから構成されている。側壁扉６の下面６ｉに形成された係止部材１１と底部１に穿設された透孔１ｂとにより、略垂直状態の側壁扉６の底部１へのロック機構が構成されている。側壁扉６が、略垂直状態において、側壁扉６の下面６ｉに垂設された係止部材１１を、底部１に穿設された透孔１ｂに嵌合し、係止部材１１の係止突部１１ｂを、透孔１ｂの両側に位置する底部１に係止させることにより、略垂直状態の側壁扉６が、上方に移動するようなことを防止することができ、従って、箱型容器Ｂに収容されている物品Ａの不用意な物品排出開口５からの排出を防止することができる。
【００２９】
また、図１１に示されているように、連結梁４に、底部１に穿設された透孔１ｂと同様に透孔４ｃを穿設し、側壁扉６を水平状態にした際に、側壁扉６の下面６ｉに垂設された係止部材１１を、連結梁４に穿設された透孔４ｃに嵌合させることにより、水平状態の連結梁４の移動を制限することができ、従って、物品排出開口５からの物品Ａの排出作業の際に、水平状態の連結梁４が、垂直方向に回動し、物品排出開口５を塞ぐようなことを防止することができる。上記のように、側壁扉６の下面６ｉに形成された係止部材１１と連結梁４に穿設された透孔４ｃとにより、略水平状態の側壁扉６の連結梁４へのロック機構が構成されている。
【００３０】
なお、上述したように、外側載置ブロック７の上面７ａと側壁２の上面２ｂとの間隔及び内側載置ブロック９の上面９ａと側壁２の上面２ｂとの間隔を、側壁扉６の厚さより、若干、大きく形成することにより、図７に示されているように、側壁扉６が、外側載置ブロック７の上面７ａと内側載置ブロック９の上面９ａに載置された略水平状態においては、側壁扉６の外面６ｈが、側壁２の上面２ｂより低い位置にあり、従って、側壁扉６が水平状態の箱型容器Ｂの上に、換言すれば、物品排出開口５が開放された状態の箱型容器Ｂの上に、他の箱型容器Ｂを段積みすることができる。水平状態の側壁扉６の外面６ｈが、側壁２の上面２ｂより高い位置にある場合には、側壁扉６が邪魔して、側壁扉６が水平状態の箱型容器Ｂの上に、他の箱型容器Ｂを段積みすることができない。側壁扉６が水平状態の箱型容器Ｂを段積みすることができるので、段積みされた箱型容器Ｂの物品排出開口５から、物品Ａを取り出すことができる。
【図面の簡単な説明】
【００３１】
【図１】図１は、本発明の箱型容器の斜視図である。
【図２】図２は、本発明の箱型容器の分解斜視図である。
【図３】図３は、本発明の箱型容器の垂直断面図である。
【図４】図４は、本発明の箱型容器の部分拡大垂直断面図である。
【図５】図５は、一部断面を含む本発明の箱型容器の部分拡大斜視図である。
【図６】図６は、図５と同様の一部断面を含む本発明の箱型容器の部分拡大斜視図である。
【図７】図７は、図５と同様の一部断面を含む本発明の箱型容器の部分拡大斜視図である。
【図８】図８は、物品が収容された状態の本発明の箱型容器の垂直断面図である。
【図９】図９は、図５と同様の一部断面を含む本発明の箱型容器の部分拡大斜視図である。
【図１０】図１０は、別の実施例の本発明の箱型容器の部分拡大斜視図である。
【図１１】図１１は、別の実施例の本発明の箱型容器の部分拡大斜視図である。
【符号の説明】
【００３２】
Ｂ・・・・・・・・・・・・・・箱型容器
１・・・・・・・・・・・・・・底部
２、３・・・・・・・・・・・・側壁
４・・・・・・・・・・・・・・連結梁
５・・・・・・・・・・・・・・物品排開口
６・・・・・・・・・・・・・・側壁扉
７・・・・・・・・・・・・・・外側載置ブロック
８・・・・・・・・・・・・・・ガイド凹部
９・・・・・・・・・・・・・・内側載置ブロック
【図１】
0004719058.tif 000002
【図２】
0004719058.tif 000003
【図３】
0004719058.tif 000004
【図４】
0004719058.tif 000005
【図５】
0004719058.tif 000006
【図６】
0004719058.tif 000007
【図７】
0004719058.tif 000008
【図８】
0004719058.tif 000009
【図９】
0004719058.tif 000010
【図１０】
0004719058.tif 000011
【図１１】
0004719058.tif 000012